(57)【要約】【課題】  大人用ふとん、子供用ふとん、さらにふとん以外の小物を効率よく乾燥することができ、また係止具によりふとん等を傷つけるおそれのないふとん乾燥用マットを提供する。【解決手段】  一端に折返えし部５を有するシート状の第１の生地２にコ字状の第２の生地３を接合して第２の生地３の先端部と折返えし部５との間に温風吹出し口８を設けると共に折返えし部５の一方の側縁部に温風吸込み口７を設けて第１、第２の生地２，３の間に温風吸込み口７及び温風吹出し口８に連通する風路９を形成し、対向する短辺の端部にこの端部から突出して係止片１０と受け片１１とからなる一対の係止具１０を設けた。【選択図】        図１
2005278966.tif 000002
【特許請求の範囲】
【請求項１】
一端に折返えし部を有するシート状の第１の生地にコ字状の第２の生地を接合して該第２の生地の先端部と前記折返えし部との間に温風吹出し口を設けると共に前記折返えし部の一方の側縁部に温風吸込み口を設けて前記第１、第２の生地の間に前記温風吸込み口及び温風吹出し口に連通する風路を形成し、対向する短辺の端部に該端部から突出して係止片と受け片とからなる一対の係止具を設けたことを特徴とするふとん乾燥用マット。
【請求項２】
ほぼ矩形状でシート状の第１の生地にほぼ回字状の第２の生地を接合し、該第２の生地の内側縁部に温風吹出し口を設けると共に前記温風吹出し口側の外側縁部に温風吸込み口を設けて、前記第１、第２の生地の間に前記温風吸込み口及温風吹出し口に連通する風路を形成し、対向する短辺の端部に該端部から突出して係止片と受け片とからなる一対の係止具を設けたことを特徴とするふとん乾燥用マット。
【請求項３】
前記係止具を、対向する長辺の端部に設けたことを特徴とする請求項１又は２記載のふとん乾燥用マット。
【請求項４】
前記係止具を複数対設けたことを特徴とする請求項１〜３のいずれかに記載のふとん乾燥用マット。
【請求項５】
前記係止具の係止片を柔軟材で形成し、一方の面に面ファスナ又はホックを取付けたことを特徴とする請求項１〜４のいずれかに記載のふとん乾燥用マット。
【請求項６】
前記係止具の係止片又は係止片と受け片を紐で形成したことを特徴とする請求項１〜４のいずれかに記載のふとん乾燥用マット。
【発明の詳細な説明】
【技術分野】
【０００１】
本発明は、ふとん等を乾燥するふとん乾燥用マットに係り、さらに詳しくは、ふとんばかりでなく、例えば洗濯後の小物なども乾燥することのできるふとん乾燥用マットに関するものである。
【背景技術】
【０００２】
従来のふとん乾燥用マットに、袋状のマット本体の一端に温風吹き込み口を設け、上記マット本体の適宜の位置から温風を吹き出すようにしたふとん乾燥機用乾燥マットにおいて、上記マット本体の温風吹き込み口と反対側の端部に折返えし側係止具を取付け、上記折返えし側係止具と温風吹き込み口側端部との間の適宜の位置に、上記折返えし側係止部と着脱自在に係止される受け側係止具を取付けたものがある（例えば、特許文献１参照）。
【特許文献１】特開平８−２８０９９３号公報（第３頁、図１、２）
【発明の開示】
【発明が解決しようとする課題】
【０００３】
特許文献１に記載されたふとん乾燥機用乾燥マットは、一方向のみに折畳んで使用するようになっているため、大人用及び子供用ふとんの乾燥にしか使用することができなかった。
また、係止具がテープ状ファスナーの場合、大人用ふとんの乾燥時においてファスナー面がふとんの生地に接触するため、ふとんの生地を傷めると共にファスナー面に糸屑やごみ等が付着し、接着力が弱くなってしまう等の不具合があった。
【０００４】
本発明は、上記の課題を解決するためになされたもので、大人用ふとん、子供用ふとん、さらにふとん以外の小物を効率よく乾燥することができ、また係止具によりふとん等を傷つけるおそれのないふとん乾燥用マットを提供することを目的とするものである。
【課題を解決するための手段】
【０００５】
本発明に係るふとん乾燥用マットは、一端に折返えし部を有するシート状の第１の生地にコ字状の第２の生地を接合して該第２の生地の先端部と前記折返えし部との間に温風吹出し口を設けると共に前記折返えし部の一方の側縁部に温風吸込み口を設けて前記第１、第２の生地の間に前記温風吸込み口及び温風吹出し口に連通する風路を形成し、対向する短辺の端部に該端部から突出して係止片と受け片とからなる一対の係止具を設けたものである。
【発明の効果】
【０００６】
本発明によれば、大人用ふとん、子供用ふとんは勿論、ふとん以外の小物を効率よく乾燥することができ、また係止具がふとん等に接触してもふとん等の生地を傷めることがない。
また、ふとんや小物等の大きさに応じて、所望の長さに折畳むことができるので、使い勝手のよいふとん乾燥用マットを得ることができる。
【発明を実施するための最良の形態】
【０００７】
［実施の形態１］
図１は本発明の実施の形態１に係るふとん乾燥機用マットの模式図で、（ａ）は平面図、（ｂ）は右側面拡大図、（ｃ）はＡ−Ａ断面拡大図、（ｄ）はＢ−Ｂ断面拡大図である。
本実施の形態に係るふとん乾燥機用マット（以下、乾燥マットという）は、掛ふとん側に面するシート状の生地２（以下、第１の生地という）と、敷ふとん側に面するコ字状の生地３（以下、第２の生地という）とを接合して、風路を有する長方形状に形成したものである。なお、第１の生地２に第２の生地３を取付けるにあたり、縫合あるいは接着剤によって接着する場合があるので、以下の説明では両者を合わせて接合という。
【０００８】
この乾燥マット１をさらに詳説すると、矩形状でシート状の第１の生地２の一方の端部（以下の説明では、図の右側を前、左側を後という）を折返えしたのち後側に折返えし、再び前側に折返えしてひだ４を形成したのち、長手方向のほぼ４分の１の位置まで延設し、折返えし部５を形成する。そして、この折返えし部５の一方の側縁部を下側の第１の生地２の側縁部と接合すると共に、他方の側縁部と第１の生地２の側縁部との間に、面ファスナやファスナ等により開閉可能な第２の温風吸込み口７を設ける。
【０００９】
次に、コ字状の第２の生地３を第１の生地２上に載置してその前端部を第１の生地２の前端部と揃え、第１の温風吸込み口６の部分を残して接合する。この第１の温風吸込み口６は面ファスナやファスナ等により開閉可能に形成されている。この場合、第１の温風吸込み口６を省略し、第２の温風吸込み口７だけを設けてもよい（以下の実施の形態においても同様である）。なお、図には第２の生地３の幅が第１の生地２の幅より狭い場合を示してあるが、両者は同じ幅であってもよい。また、第２の生地３の両脚部３ａ，３ｂの先端部を折返えし部５にそれぞれ接合すると共に、その周囲を第１の生地２に接合する。このとき、両脚部３ａ，３ｂの間は折返えし部５と下側の第１の生地２とを接合せず、両者の間を開放状態にして温風吹出し口８を設ける。
【００１０】
上記の温風吹出し口８は、第２の生地３の脚部３ａ，３ｂの内側縁部と第１の生地２との接合部の一部を、温風吹出し口８と連続してコ字状に開口し、ファスナ等により必要な範囲を開口するようにしてもよく、あるいは上記コ字状の開口部のうちいずれか１辺又は２辺を残して他を第１の生地２と接合し、温風吹出し口８を形成してもよい。
これにより、第１、第２の生地２，３の間及び第１の生地２と折返えし部５との間に、第１、第２の温風吸込み口６，７及び温風吹出し口８に連通する風路９ａ〜９ｄ（以下、単に９と云うことがある）が形成される。
【００１１】
１０は例えば布のような柔軟材からなり、一端が折返えし部５（短辺側）の後端部に取付けられて外方に突出した係止片で、一方の面の両端部には例えば面ファスナやホック等からなる雄係止部と雌係止部が設けられている。１１は一端が前端部（短辺側）に、係止片１０に対応して取付けられて外方に突出したリング状の受け片で、これら係止片１０と受け片１１により一対の係止具を形成している。なお、係止片１０を前端部に、受け片１１を折返えし部５に取付けてもよい。
【００１２】
次に、本実施の形態に係る乾燥マットの使用例について説明する。
大人用のふとんを乾燥する場合は、先ず、図２に示すように、係止片１０を折曲げて雌、雄の係止部を係止させてリング状にし、係止片１０によりふとんを傷つけないようにすると共に、第２の温風吸込み口７を閉じる。
そして、図３に示すように、敷ふとん２１と掛ふとん２２との間に、第１の生地２を上にして乾燥マット１をセットする。ついで、乾燥マット１の第１の温風吸込み口６にふとん乾燥機３０の温風吐出口３１を挿入して取付け、ふとん乾燥機３０を駆動して温風を供給する。温風は乾燥マット１の風路９ａ〜９ｄを経て温風吹出し口８から吐出し、矢印で示すように、敷ふとん２１、掛ふとん２２を通って排出され、両ふとん２１，２２を乾燥する。なお、第１の温風吸込み口６を閉じ、第２の温風吸込み口７にふとん乾燥機３０の温風吐出口３１を挿入して温風を供給してもよい。
【００１３】
子供用ふとんを乾燥する場合は、先ず、温風吹出し口８を上にして長手方向の中央部から折畳み、図４に示すように、受け片１１に係止片１０を挿通し、雌雄の係止部を係止させて固定する。また、第１の温風吸込み口６を閉じる。
そして、図５に示すように、敷ふとん２１ａと掛ふとん２２ａの間に、温風吹出し口８を下にして乾燥マット１をセットし、また、第２の温風吸込み口７にふとん乾燥機３０の温風吐出口３１を挿入して取付け、温風を供給する。これにより、温風吹出し口８から吐出した温風は、矢印で示すように、敷ふとん２１ａ、掛ふとん２２ａを通って排出され、両ふとん２１ａ，２２ａを乾燥する。
【００１４】
本実施の形態においては、上述のように大人用ふとん及び子供用ふとんを効率よく乾燥できるばかりでなく、さらに、靴下その他の小物（以下、乾燥小物という）も乾燥することができる。
この場合は、図６に示すように、温風吹出し口８を内側にして長手方向の中央部から折畳み、受け片１１に係止片１０を挿通して固定すると共に、第１の温風吸込み口６を閉じる。
【００１５】
そして、図７に示すように、折畳んだ乾燥マット１の両側から、折返えし部５や折畳んだ空間部１２内に、例えば、洗濯した靴下やタオルなどの乾燥小物１３を挿入し、第２の温風吸込み口７に挿入したふとん乾燥機３０の温風吐出口３１から温風を供給する。この温風は、折返えし部５の風路９ｄを経て温風吹出し口８から矢印で示すように空間部１２に流入して乾燥小物１３を乾燥し、乾燥小物１３の湿気を含んだ温風は、乾燥マット１の両側のすき間から外部へ排出される。
【００１６】
本実施の形態に係る乾燥マット１は、長手方向の中央部から折畳んで使用できるようにしたので、大人や子供のふとんを効率よく乾燥できるばかりでなく、乾燥小物等も乾燥できるようにしたため、ふとん乾燥機の用途を拡大することができる。
【００１７】
また、乾燥マット１の前後端部に係止片１０及び受け片１１を設け、乾燥マット１を折畳んだときはこの係止片１０と受け片１１により両端部を固定するようにしたので、折畳み状態を確実に保持することができる。さらに、大人用ふとんの乾燥時等、係止片１０の不使用時には、内側に折曲げて面ファスナ等を係止させ、隠蔽して面ファスナ等が表面に出ないようにしたので、面ファスナ等がふとんに接触することがなく、生地を傷めることがない。また、ふとん乾燥機の不使用時にも、上記のように係止片１０を内側に折曲げて面ファスナ等を隠蔽しておけば、面ファスナに糸屑やごみが付着することがない。
【００１８】
［実施の形態２］
図８は本発明の実施の形態２に係る乾燥マットの模式的平面図である。なお、実施の形態１と同じ部分にはこれと同じ符号を付し、説明を省略する。
実施の形態１では、折返えし部５の後端部に係止片１０を設け、前端部にこれに対応して係止片１１を設けた場合を示したが、本実施の形態は、これら係止片及び受け片の位置を変えたものである。
【００１９】
すなわち、図８に示すように、係止片１０を折返えし部５の後端部側の両側縁部に、長手方向と直交して取付けると共に、複数の受け片１１ａ，１１ｂ，１１ｃを、長手方向（長辺）の中央部より前側において、前端部側の両側縁部及びそれから後部側に向って所定の間隔でそれぞれ設けたものである。なお、図には三組の受け片１１ａ〜１１ｃを設けた場合を示したが、二組以上であればよい。
【００２０】
上記のように構成した乾燥マット１を折畳んで使用する場合、係止片１０と受け片１１ａを係止させれば図９（ａ）の状態になり、係止片１０と受け片１１ｂを係止させれば図９（ｂ）、係止片１０と受け片１１ｃを係止させれば図９（ｃ）の状態になって、折畳んだ乾燥マット１を所望の長さ（大きさ）に調整することができる。このため、子供用ふとんや乾燥小物１３などの被乾燥物の大きさに応じて長さを調整することによりより効率的に乾燥することができる。
【００２１】
本実施の形態は、実施の形態１の場合と同様の効果に加えて、上記の効果が得られるので、より使い勝手のよい乾燥マットを得ることができる。
【００２２】
［実施の形態３］
図１０は本発明の実施の形態３に係る乾燥マットの模式図で、（ａ）は平面図、（ｂ）はそのＣ−Ｃ断面図である。なお、実施の形態１と同じ部分にはこれと同じ符号を付し、説明を省略する。
本実施の形態は、ほぼ矩形でシート状の第１の生地２に、第１の生地２と同じ長さのほぼ回字状の第２の生地３を接合して、乾燥マット１を形成したものである。
【００２３】
すなわち、一端に設ける第１の温風吸込み口６、他端側の側縁部に設ける第２の温風吸込み口７、及び第２の生地３の内周縁部の一部と第１の生地２との間に設ける温風吹出し口８の部分を残して、第２の生地３の外周縁及び内周縁を第１の生地に接合し、第１、第２の生地２，３の間に、第１、第２の温風吸込み口６，７及び温風吹出し口８に連通するほぼ回字状の風路９を形成する。そして、第２の生地の一端に係止片１０を設けると共に、他端に受け片１１を設けたものである。なお、図には第２の生地３の一部を、第１の生地２より幅狭に形成した場合を示してあるが、両者は同じ幅であってもよい。
【００２４】
本実施の形態においても、実施の形態１の場合と同様に第２の生地にひだ４を設けてもよく、また、実施の形態２の場合と同様に長手方向（長辺）の端部に複数の係止片及び受け片を設けてもよい。
本実施の形態に係る乾燥マットも、実施の形態１、２の場合と同様の作用、効果を得ることができる。
【００２５】
上記の説明では、係止片１０を柔軟材で形成して一方の面に面ファスナやホック等を取付け、受け片１１をリング状に形成した場合を示したが、これらに代えて係止片１０又は係止片１０と受け片１１を紐で形成してもよい。
【図面の簡単な説明】
【００２６】
【図１】本発明の実施の形態１に係る乾燥マットの模式図で、（ａ）は平面図、（ｂ）は右側面図、（ｃ）はＡ−Ａ断面図、（ｄ）はＢ−Ｂ断面図である。
【図２】大人用ふとんを乾燥する場合の手順説明図である。
【図３】大人用ふとんの乾燥状態を示す説明図である。
【図４】子供用ふとんを乾燥する場合の手順説明図である。
【図５】子供用ふとんの乾燥状態を示す説明図である。
【図６】乾燥小物を乾燥する場合の手順説明図である。
【図７】乾燥小物の乾燥状態を示す説明図である。
【図８】本発明の実施の形態２に係る乾燥マットの模式的平面図である。
【図９】実施の形態２の使用状態の説明図である。
【図１０】本発明の実施の形態２に係る乾燥マットの模式図で、（ａ）は平面図、（ｂ）はＣ−Ｃ断面図である。
【符号の説明】
【００２７】
１  乾燥マット、２  第１の生地、３  第２の生地、５  折返えし部、６  第１の温風吸込み口、７  第２の温風吸込み口、８  温風吹出し口、９  風路、１０  係止片、１１  受け片、１３  乾燥小物、３０  ふとん乾燥機、３１  温風吐出口。
【図１】
2005278966.tif 000003
【図２】
2005278966.tif 000004
【図３】
2005278966.tif 000005
【図４】
2005278966.tif 000006
【図５】
2005278966.tif 000007
【図６】
2005278966.tif 000008
【図７】
2005278966.tif 000009
【図８】
2005278966.tif 000010
【図９】
2005278966.tif 000011
【図１０】
2005278966.tif 000012